(57)【特許請求の範囲】
【請求項１】
本体とダイカスト金型とを含み、
前記ダイカスト金型の左右端面の中にはネジ穴が設置され、前記ダイカスト金型の下端面の中には挿入連結溝が形成され、前記挿入連結溝の左右端壁の中には挟持溝が連通するように形成され、前記本体の中には挟持空間が設置され、前記挟持空間の左右側にはクランプが対称となるように設置され、前記クランプはネジ軸を含み、前記ネジ軸は前記ネジ穴の中に伸びて前記ネジ穴とネジ山により連結されることができ、
前記挟持空間の下側には昇降空間が連通するように設置され、前記昇降空間の中には昇降挿入ブロックがスライド可能に設置され、前記昇降挿入ブロックは断面が方形構造であり、前記昇降挿入ブロックの上端は前記挿入連結溝の中に伸びることができ、前記昇降挿入ブロックの中には定位装置が設置され、前記定位装置は左右対称の定位ブロックを含み、前記定位ブロックは前記挟持溝の中に伸びて前記挟持溝に差し込まれて連結されることができ、前記定位装置の下側には当接装置が設置され、前記当接装置は当接ブロックを含み、前記当接ブロックの昇降は前記定位ブロックと前記挟持溝との連結状態を制御でき、前記昇降挿入ブロックの中にはネジ溝が形成され、前記ネジ溝の中にはスタッドボルトがネジ山により連結され、前記スタッドボルトの中にはロック装置が装着され、前記ロック装置は前記当接装置と前記スタッドボルトとを連結でき、前記昇降挿入ブロックの下側には動力切換装置が設置され、
前記クランプは挟持スライド溝を含み、
前記挟持スライド溝において対称中心に近接する側と前記挟持空間とが連通し、前記ネジ軸が前記挟持スライド溝の中に回転可能に装着され、前記ネジ軸には第一プーリがネジ山により連結され、前記第一プーリが前記挟持スライド溝の中に回転可能に装着され、前記第一プーリの後側には第二プーリが回転可能に装着され、前記第一プーリと前記第二プーリとは伝動ベルトにより伝動可能に連結され、左右の前記第二プーリは伝動軸により連結され、
前記定位装置は定位スライド溝を含み、
前記定位スライド溝において対称中心から離れた一端と前記挿入連結溝とが連通し、前記定位ブロックが前記定位スライド溝の中にスライド可能に装着され、前記定位ブロックにおいて対称中心に近接する一端と前記定位スライド溝との間には復帰ばねが固定的に設置され、
前記定位ブロックの中には当接溝が形成され、前記当接溝において互いに離れた端面は斜面構造で、前記当接ブロックの上端と当接でき、
前記当接装置はプッシュ空間を含み、
前記当接ブロックが前記プッシュ空間の中にスライド可能に装着され、前記当接ブロックの中には開溝が形成され、前記開溝の中にはプッシュ板がスライド可能に設置され、前記開溝において対称中心から離れた端壁の中にはプッシュブロックがスライド可能に設置され、前記プッシュブロックと前記プッシュ板とが当接し、前記プッシュブロックの下端面は歯付き構造であり、前記プッシュブロックの下側には前記プッシュブロックと噛み合った回転歯車が噛み合っており、前記回転歯車の中心部には歯車回転軸が固定的に設置され、前記歯車回転軸にはトーションばねが固定的に設置され、
前記回転歯車の下側には伝動歯車が回転可能に設置され、前記伝動歯車の中心部には連結軸が固定的に設置され、前記連結軸と前記歯車回転軸とは連結ベルトにより伝動可能に連結され、前記プッシュ空間において対称中心から離れた端壁にはラックが固定的に設置され、前記ラックと前記伝動歯車とが噛み合っており、
前記ロック装置は前記スタッドボルトの中に回転可能に装着された装着ブロックを含み、
前記装着ブロックの中には噛合空間が設置され、前記噛合空間の中には親ネジが回転可能に設置され、前記親ネジの左右端が前記ネジ溝の中に伸び、前記噛合空間の中にある前記親ネジには第一傘歯車が固定的に設置され、前記第一傘歯車の下側には第二傘歯車が噛み合っており、前記第二傘歯車の下側が前記噛合空間の下端壁に装着された回転モーターに伝動可能に連結され、
前記回転モーターの下端には回転軸が伝動可能に装着され、前記回転軸の下端と前記動力切換装置とが伝動可能に連結され、前記ネジ溝の左右端壁には連通溝が連通するように形成され、前記連通溝の中にはプッシュロッドがスライド可能に設置され、前記プッシュロッドと前記親ネジとがネジ山により連結され、前記プッシュロッドは断面が方形構造であり、
前記動力切換装置は切換空間を含み、
前記スタッドボルトと前記装着ブロックの下端と前記切換空間の下端壁とが回転可能に連結され、前記切換空間の中にある前記スタッドボルトには従動歯車が固定的に設置され、前記切換空間の中にはスライドガイドロッドが固定的に設置され、前記スライドガイドロッドには切換ブロックがスライド可能に装着され、前記切換ブロックの中には動力モーターが固定的に設置され、前記動力モーターの上端には動力軸が伝動可能に装着され、前記動力軸の上端には主動歯車が固定的に装着され、前記主動歯車と前記従動歯車とが噛み合い、前記主動歯車の正面を基準とし、前記主動歯車の右側には平歯車が回転可能に設置され、前記平歯車の中心部にはマンドレルが固定的に設置され、
前記切換空間の上側には回転転向空間が連通するように設置され、前記マンドレルの上端は前記回転転向空間の中に伸び、前記マンドレルの上端には第三傘歯車が固定的に設置され、前記第三傘歯車の正面から見た際の前記第三傘歯車の右端には第四傘歯車が噛み合っており、前記第四傘歯車の中心部にはベルト軸が固定的に設置され、前記ベルト軸と右側の前記伝動ベルトとが伝動可能に連結され、
前記切換空間の左端壁の中には回し溝が連通するように形成され、前記回転軸の下端は前記回し溝の中に伸び、前記回転軸の下端には回転盤が固定的に設置され、前記回転盤の外周には回しロッドが固定的に設置されていることを特徴とするダイカスト金型固定用クランプ。
【発明の詳細な説明】
【技術分野】
【０００１】
本願発明は金型固定用クランプ技術分野に関し、具体的にはダイカスト金型固定用クランプである。
【背景技術】
【０００２】
ボルトで金型とクランプを取り付けるのは従来のダイカスト金型を固定する方法であり、この方法は手動で取り付けるのであり、大量のボルトが必要であるため、取り付けに不便であり、また、ベルトが同期に取り付けされないと、ネジを回す力は異なり、金型を取り付ける安定性が低下し、水平度が低く、ダイカストの精度が低下する。その他、現有の金型固定用クランプは構成が簡単で、金型を多方向から制限することができないため、使用中に金型がずれやすく、ダイカストの効果に影響する。本願発明は上記の問題を解決できる。
【先行技術文献】
【特許文献】
【０００３】
【特許文献１】中国特許出願公開第１０４４９３１３１号明細書
【発明の概要】
【発明が解決しようとする課題】
【０００４】
技術問題：
従来のダイカスト金型固定用クランプはボルトで金型を固定し、取り付けと取り外しは不便で、金型を取り付ける安定性が低下し、ダイカストの精度に影響する。
【課題を解決するための手段】
【０００５】
上記の問題を解決するため、ダイカスト金型固定用クランプを設計し、本願発明に記載のダイカスト金型固定用クランプは、本体とダイカスト金型とを含み、前記ダイカスト金型の左右端面の中にはネジ穴が設置され、前記ダイカスト金型の下端面の中には挿入連結溝が形成され、前記挿入連結溝の左右端壁の中には挟持溝が連通するように形成され、前記本体の中には挟持空間が設置され、前記挟持空間の左右側にはクランプが対称となるように設置され、前記クランプはネジ軸を含み、前記ネジ軸は前記ネジ穴の中に伸びて前記ネジ穴とネジ山により連結されることができ、前記挟持空間の下側には昇降空間が連通するように設置され、前記昇降空間の中には昇降挿入ブロックがスライド可能に設置され、前記昇降挿入ブロックは断面が方形構造であり、前記昇降挿入ブロックの上端は前記挿入連結溝の中に伸びることができ、前記昇降挿入ブロックの中には定位装置が設置され、前記定位装置は左右対称の定位ブロックを含み、前記定位ブロックは前記挟持溝の中に伸びて前記挟持溝に差し込まれて連結されることができ、前記定位装置の下側には当接装置が設置され、前記当接装置は当接ブロックを含み、前記当接ブロックの昇降は前記定位ブロックと前記挟持溝との連結状態を制御でき、前記昇降挿入ブロックの中にはネジ溝が形成され、前記ネジ溝の中にはスタッドボルトがネジ山により連結され、前記スタッドボルトの中にはロック装置が装着され、前記ロック装置は前記当接装置と前記スタッドボルトとを連結でき、前記昇降挿入ブロックの下側には動力切換装置が設置され、前記動力切換装置は本願発明に動力を提供する。
【０００６】
前記クランプは挟持スライド溝を含み、前記挟持スライド溝において対称中心に近接する側と前記挟持空間とが連通し、前記ネジ軸が前記挟持スライド溝の中に回転可能に装着され、前記ネジ軸には第一プーリがネジ山により連結され、前記第一プーリが前記挟持スライド溝の中に回転可能に装着され、前記第一プーリの後側には第二プーリが回転可能に装着され、前記第一プーリと前記第二プーリとは伝動ベルトにより伝動可能に連結され、左右の前記第二プーリは伝動軸により連結され、左右側の前記第一プーリが回転する時、前記ネジ軸が回転して前記ネジ穴とネジ山により連結され、さらに前記ダイカスト金型の左右端は挟まれる。
【０００７】
前記定位装置は定位スライド溝を含み、前記定位スライド溝において対称中心から離れた一端と前記挿入連結溝とが連通し、前記定位ブロックが前記定位スライド溝の中にスライド可能に装着され、前記定位ブロックにおいて対称中心に近接する一端と前記定位スライド溝との間には復帰ばねが固定的に設置され、前記定位ブロックの中には当接溝が形成され、前記当接溝において互いに離れた端面は斜面構造で、前記当接ブロックの上端と当接でき、前記定位ブロックが前記挟持溝に差し込まれて連結された時、前記ダイカスト金型の高さを定められる。
【０００８】
前記当接装置はプッシュ空間を含み、前記当接ブロックが前記プッシュ空間の中にスライド可能に装着され、前記当接ブロックの中には開溝が形成され、前記開溝の中にはプッシュ板がスライド可能に設置され、前記開溝において対称中心から離れた端壁の中にはプッシュブロックがスライド可能に設置され、前記プッシュブロックと前記プッシュ板とが当接し、前記プッシュブロックの下端面は歯付き構造であり、前記プッシュブロックの下側には前記プッシュブロックと噛み合った回転歯車が噛み合っており、前記回転歯車の中心部には歯車回転軸が固定的に設置され、前記歯車回転軸にはトーションばねが固定的に設置され、前記回転歯車の下側には伝動歯車が回転可能に設置され、前記伝動歯車の中心部には連結軸が固定的に設置され、前記連結軸と前記歯車回転軸とは連結ベルトにより伝動可能に連結され、前記プッシュ空間において対称中心から離れた端壁にはラックが固定的に設置され、前記ラックと前記伝動歯車とが噛み合い、前記プッシュブロックの移動により前記伝動歯車が駆動されて回転でき、そして前記当接ブロックが駆動されて昇降する。
【０００９】
前記ロック装置は前記スタッドボルトの中に回転可能に装着された装着ブロックを含み、前記装着ブロックの中には噛合空間が設置され、前記噛合空間の中には親ネジが回転可能に設置され、前記親ネジの左右端が前記ネジ溝の中に伸び、前記噛合空間の中にある前記親ネジには第一傘歯車が固定的に設置され、前記第一傘歯車の下側には第二傘歯車が噛み合っており、前記第二傘歯車の下側が前記噛合空間の下端壁に装着された回転モーターに伝動可能に連結され、前記回転モーターの下端には回転軸が伝動可能に装着され、前記回転軸の下端と前記動力切換装置とが伝動可能に連結され、前記ネジ溝の左右端壁には連通溝が連通するように形成され、前記連通溝の中にはプッシュロッドがスライド可能に設置され、前記プッシュロッドと前記親ネジとがネジ山により連結され、前記プッシュロッドは断面が方形構造であり、前記親ネジの回転により前記プッシュロッドが互いに対向して移動し、前記昇降挿入ブロックと前記スタッドボルトとが一緒に連結されている。
【００１０】
前記動力切換装置は切換空間を含み、前記スタッドボルトと前記装着ブロックの下端と前記切換空間の下端壁とが回転可能に連結され、前記切換空間の中にある前記スタッドボルトには従動歯車が固定的に設置され、前記切換空間の中にはスライドガイドロッドが固定的に設置され、前記スライドガイドロッドには切換ブロックがスライド可能に装着され、前記切換ブロックの中には動力モーターが固定的に設置され、前記動力モーターの上端には動力軸が伝動可能に装着され、前記動力軸の上端には主動歯車が固定的に装着され、前記主動歯車と前記従動歯車とが噛み合い、前記主動歯車の正面を基準とし、前記主動歯車の右側には平歯車が回転可能に設置され、前記平歯車の中心部にはマンドレルが固定的に設置され、前記切換空間の上側には回転転向空間が連通するように設置され、前記マンドレルの上端は前記回転転向空間の中に伸び、前記マンドレルの上端には第三傘歯車が固定的に設置され、前記第三傘歯車の正面から見た際の前記第三傘歯車の右端には第四傘歯車が噛み合っており、前記第四傘歯車の中心部にはベルト軸が固定的に設置され、前記ベルト軸と右側の前記伝動ベルトとが伝動可能に連結され、前記切換空間の左端壁の中には回し溝が連通するように形成され、前記回転軸の下端は前記回し溝の中に伸び、前記回転軸の下端には回転盤が固定的に設置され、前記回転盤の外周には回しロッドが固定的に設置され、前記動力モーターは作動することで前記従動歯車に動力を提供でき、前記回しロッドの回転により前記切換ブロックが押し動かされて右方に移動し、前記動力モーターは前記平歯車の回転に動力を提供する。
【発明の効果】
【００１１】
本願発明の有益な効果は：本願発明は金型を取り付ける高さによって昇降挿入ブロックの位置を調整し、昇降挿入ブロックと金型とを密着させ、金型の取り付ける高さを制御し、かつ金型が水平方向での回転を制限し、また、ネジ軸と金型の取り付けによって金型の鉛直方向の運動を制限でき、ネジ軸がモーターに駆動されて同期に回転することで、金型の取り付けを安定させ、本願発明は金型を素早く取り付けられ、取り付けの安定性が高く、ダイカストの過程に金型のずれを防ぎ、ダイカストの精度を上げる。
【図面の簡単な説明】
【００１２】
下記に図１〜６をあわせて本願発明について詳しく説明し、便利に説明するために、下記の方向を以下のように規定する：以下に述べる前後左右上下の方向は、図１の視線方向における前後左右上下方向と一致し、図１は、本発明装置の正面図であり、図１に示す方向は、本発明の装置の正面視方向の前、後、左、右、上、下の方向と一致している。
【００１３】
【図１】図１は本願発明のダイカスト金型固定用クランプの全体構成概略図
【図２】図２は図１におけるＡ―Ａ方向の構成概略図
【図３】図３は図１におけるＢの拡大構成概略図
【図４】図４は図３におけるＣの拡大構成概略図
【図５】図５は図４におけるＤ―Ｄ方向の構成概略図
【図６】図６は図４におけるＥ―Ｅ方向の構成概略図
【発明を実施するための形態】
【００１４】
本願発明はダイカスト金型固定用クランプに関し、主に金型を固定することに使用され、以下、本願発明図面を参照してさらなる説明をする。
【００１５】
本願発明に記載のダイカスト金型固定用クランプは、本体１０とダイカスト金型１２とを含み、前記ダイカスト金型１２の左右端面の中にはネジ穴１３が設置され、前記ダイカスト金型１２の下端面の中には挿入連結溝１５が形成され、前記挿入連結溝１５の左右端壁の中には挟持溝１４が連通するように形成され、前記本体１０の中には挟持空間１１が設置され、前記挟持空間１１の左右側にはクランプ６０１が対称となるように設置され、前記クランプ６０１はネジ軸１８を含み、前記ネジ軸１８は前記ネジ穴１３の中に伸びて前記ネジ穴１３とネジ山により連結されることができ、前記挟持空間１１の下側には昇降空間２３が連通するように設置され、前記昇降空間２３の中には昇降挿入ブロック２２がスライド可能に設置され、前記昇降挿入ブロック２２は断面が方形構造であり、前記昇降挿入ブロック２２の上端は前記挿入連結溝１５の中に伸びることができ、前記昇降挿入ブロック２２の中には定位装置６０２が設置され、前記定位装置６０２は左右対称の定位ブロック５１を含み、前記定位ブロック５１は前記挟持溝１４の中に伸びて前記挟持溝１４に差し込まれて連結されることができ、前記定位装置６０２の下側には当接装置６０３が設置され、前記当接装置６０３は当接ブロック２５を含み、前記当接ブロック２５の昇降は前記定位ブロック５１と前記挟持溝１４との連結状態を制御でき、前記昇降挿入ブロック２２の中にはネジ溝３８が形成され、前記ネジ溝３８の中にはスタッドボルト４２がネジ山により連結され、前記スタッドボルト４２の中にはロック装置６０４が装着され、前記ロック装置６０４は前記当接装置６０３と前記スタッドボルト４２とを連結でき、前記昇降挿入ブロック２２の下側には動力切換装置６０５が設置され、前記動力切換装置６０５は本願発明に動力を提供する。
【００１６】
前記クランプ６０１は挟持スライド溝１６を含み、前記挟持スライド溝１６において対称中心に近接する側と前記挟持空間１１とが連通し、前記ネジ軸１８が前記挟持スライド溝１６の中に回転可能に装着され、前記ネジ軸１８には第一プーリ２０がネジ山により連結され、前記第一プーリ２０が前記挟持スライド溝１６の中に回転可能に装着され、前記第一プーリ２０の後側には第二プーリ８０が回転可能に装着され、前記第一プーリ２０と前記第二プーリ８０とは伝動ベルト１９により伝動可能に連結され、左右の前記第二プーリ８０は伝動軸２１により連結され、左右側の前記第一プーリ２０が回転する時、前記ネジ軸１８が回転して前記ネジ穴１３とネジ山により連結され、さらに前記ダイカスト金型１２の左右端は挟まれる。
【００１７】
前記定位装置６０２は定位スライド溝５３を含み、前記定位スライド溝５３において対称中心から離れた一端と前記挿入連結溝１５とが連通し、前記定位ブロック５１が前記定位スライド溝５３の中にスライド可能に装着され、前記定位ブロック５１において対称中心に近接する一端と前記定位スライド溝５３との間には復帰ばね５４が固定的に設置され、前記定位ブロック５１の中には当接溝５２が形成され、前記当接溝５２において互いに離れた端面は斜面構造で、前記当接ブロック２５の上端と当接でき、前記定位ブロック５１が前記挟持溝１４に差し込まれて連結された時、前記ダイカスト金型１２の高さを定められる。
【００１８】
前記当接装置６０３はプッシュ空間２４を含み、前記当接ブロック２５が前記プッシュ空間２４の中にスライド可能に装着され、前記当接ブロック２５の中には開溝４０が形成され、前記開溝４０の中にはプッシュ板４１がスライド可能に設置され、前記開溝４０において対称中心から離れた端壁の中にはプッシュブロック３７がスライド可能に設置され、前記プッシュブロック３７と前記プッシュ板４１とが当接し、前記プッシュブロック３７の下端面は歯付き構造であり、前記プッシュブロック３７の下側には前記プッシュブロック３７と噛み合った回転歯車３５が噛み合っており、前記回転歯車３５の中心部には歯車回転軸３３が固定的に設置され、前記歯車回転軸３３にはトーションばね８５が固定的に設置され、前記回転歯車３５の下側には伝動歯車２９が回転可能に設置され、前記伝動歯車２９の中心部には連結軸２８が固定的に設置され、前記連結軸２８と前記歯車回転軸３３とは連結ベルト３１により伝動可能に連結され、前記プッシュ空間２４において対称中心から離れた端壁にはラック２６が固定的に設置され、前記ラック２６と前記伝動歯車２９とが噛み合い、前記プッシュブロック３７の移動により前記伝動歯車２９が駆動されて回転でき、そして前記当接ブロック２５が駆動されて昇降する。
【００１９】
前記ロック装置６０４は前記スタッドボルト４２の中に回転可能に装着された装着ブロック４３を含み、前記装着ブロック４３の中には噛合空間４５が設置され、前記噛合空間４５の中には親ネジ４９が回転可能に設置され、前記親ネジ４９の左右端が前記ネジ溝３８の中に伸び、前記噛合空間４５の中にある前記親ネジ４９には第一傘歯車４６が固定的に設置され、前記第一傘歯車４６の下側には第二傘歯車４７が噛み合っており、前記第二傘歯車４７の下側が前記噛合空間４５の下端壁に装着された回転モーター４８に伝動可能に連結され、前記回転モーター４８の下端には回転軸４４が伝動可能に装着され、前記回転軸４４の下端と前記動力切換装置６０５とが伝動可能に連結され、前記ネジ溝３８の左右端壁には連通溝３９が連通するように形成され、前記連通溝３９の中にはプッシュロッド５０がスライド可能に設置され、前記プッシュロッド５０と前記親ネジ４９とがネジ山により連結され、前記プッシュロッド５０は断面が方形構造であり、前記親ネジ４９の回転により前記プッシュロッド５０が互いに対向して移動し、前記昇降挿入ブロック２２と前記スタッドボルト４２とが一緒に連結されている。
【００２０】
前記動力切換装置６０５は切換空間５８を含み、前記スタッドボルト４２と前記装着ブロック４３の下端と前記切換空間５８の下端壁とが回転可能に連結され、前記切換空間５８の中にある前記スタッドボルト４２には従動歯車５６が固定的に設置され、前記切換空間５８の中にはスライドガイドロッド６３が固定的に設置され、前記スライドガイドロッド６３には切換ブロック５９がスライド可能に装着され、前記切換ブロック５９の中には動力モーター６０が固定的に設置され、前記動力モーター６０の上端には動力軸６１が伝動可能に装着され、前記動力軸６１の上端には主動歯車５７が固定的に装着され、前記主動歯車５７と前記従動歯車５６とが噛み合い、前記主動歯車５７の正面を基準とし、前記主動歯車５７の右側には平歯車６７が回転可能に設置され、前記平歯車６７の中心部にはマンドレル８６が固定的に設置され、前記切換空間５８の上側には回転転向空間７１が連通するように設置され、前記マンドレル８６の上端は前記回転転向空間７１の中に伸び、前記マンドレル８６の上端には第三傘歯車６９が固定的に設置され、前記第三傘歯車６９の正面から見た際の前記第三傘歯車６９の右端には第四傘歯車７２が噛み合っており、前記第四傘歯車７２の中心部にはベルト軸７０が固定的に設置され、前記ベルト軸７０と右側の前記伝動ベルト１９とが伝動可能に連結され、前記切換空間５８の左端壁の中には回し溝６４が連通するように形成され、前記回転軸４４の下端は前記回し溝６４の中に伸び、前記回転軸４４の下端には回転盤６５が固定的に設置され、前記回転盤６５の外周には回しロッド６６が固定的に設置され、前記動力モーター６０は作動することで前記従動歯車５６に動力を提供でき、前記回しロッド６６の回転により前記切換ブロック５９が押し動かされて右方に移動し、前記動力モーター６０は前記平歯車６７の回転に動力を提供する。
【００２１】
以下、図１〜６をあわせて本願発明の使用手順について詳しく説明する。
【００２２】
初めに、定位ブロック５１が定位スライド溝５３に位置し、この時、定位スライド溝５３が自然状態にあり、プッシュ板４１において対称中心に近接する一端と開溝４０において対称中心に近接する端壁とが同一水平面に位置し、主動歯車５７と従動歯車５６とが噛み合っている。
【００２３】
使用する時、ダイカスト金型１２を挟持空間１１の中に入れ、ダイカスト金型１２が位置した高度によって、動力モーター６０が作動することで主動歯車５７を駆動して回転させ、従動歯車５６が回転し、スタッドボルト４２が回転し、昇降挿入ブロック２２が上昇して挿入連結溝１５の中に入り、かつ昇降挿入ブロック２２の上端面と挿入連結溝１５の上端壁とが当接し、昇降挿入ブロック２２と挿入連結溝１５との連結部位によりダイカスト金型１２の高さを固定し、
その後、回転モーター４８が作動することで第二傘歯車４７を駆動して回転させ、第一傘歯車４６が回転し、親ネジ４９が回転し、プッシュロッド５０が互いに離れて移動して開溝４０の中に伸び、プッシュロッド５０がプッシュ板４１を押し動かして移動させ、そしてプッシュブロック３７を押し動かして移動させ、回転歯車３５が回転し、連結ベルト３１により伝動歯車２９が駆動されて回転し、ラック２６の噛合作用で、当接ブロック２５が上昇して定位ブロック５１を押し動かして互いに離れて移動させ、定位ブロック５１が挟持溝１４の中に伸びてダイカスト金型１２の水平回転を制限し、回転モーター４８が作動すると同時に回転軸４４が駆動されて回転し、回転盤６５が回転し、回しロッド６６が回転することで切換ブロック５９を押し動かして右方に移動させ、この時、回転モーター４８が止まり、主動歯車５７が従動歯車５６から離脱して平歯車６７と噛み合い、動力モーター６０が作動することで平歯車６７を駆動して回転させ、第四傘歯車７２が回転し、伝動ベルト１９及び伝動軸２１により左右の第一プーリ２０が駆動されて回転し、ネジ軸１８は回転しながら互いに対向して移動して前記ネジ穴１３の中に伸び、そしてダイカスト金型１２の鉛直方向の運動を制限でき、ネジ軸１８が同期に回転することでダイカスト金型１２の取り付けを安定させられ、プッシュロッド５０がスタッドボルト４２と昇降挿入ブロック２２を連結することにより、ダイカスト中に昇降挿入ブロック２２が力を受けて回転することを避けられ、さらに昇降挿入ブロック２２を取り付ける安定性を向上させる。
【００２４】
本願発明の有益な効果は：本願発明は金型を取り付ける高さによって昇降挿入ブロックの位置を調整し、昇降挿入ブロックと金型とを密着させ、金型の取り付ける高さを制御し、かつ金型が水平方向での回転を制限し、また、ネジ軸と金型の取り付けによって金型の鉛直方向の運動を制限でき、ネジ軸がモーターに駆動されて同期に回転することで、金型の取り付けを安定させ、本願発明は金型を素早く取り付けられ、取り付けの安定性が高く、ダイカストの過程に金型のずれを防ぎ、ダイカストの精度を上げる。
【００２５】
上記の方式によって、当業者は本発明の範囲内で作業状況に基づいて様々な改変を加えられる。
【要約】
【課題】本願発明はダイカスト金型固定用クランプを開示した。
【解決手段】
本体とダイカスト金型とを含み、前記ダイカスト金型の左右端面の中にはネジ穴が設置され、前記ダイカスト金型の下端面の中には挿入連結溝が形成され、前記挿入連結溝の左右端壁の中には挟持溝が連通するように形成され、前記本体の中には挟持空間が設置され、本願発明は金型を取り付ける高さによって昇降挿入ブロックの位置を調整し、昇降挿入ブロックと金型とを密着させ、金型の取り付ける高さを制御し、かつ金型が水平方向での回転を制限し、また、ネジ軸と金型の取り付けによって金型の鉛直方向の運動を制限でき、ネジ軸がモーターに駆動されて同期に回転することで、金型の取り付けを安定させ、本願発明は金型を素早く取り付けられ、取り付けの安定性が高く、ダイカストの過程に金型のずれを防ぎ、ダイカストの精度を上げる。
【選択図】図１【図１】
0006802432.tif 000002
【図２】
0006802432.tif 000003
【図３】
0006802432.tif 000004
【図４】
0006802432.tif 000005
【図５】
0006802432.tif 000006
【図６】
0006802432.tif 000007